(57)【要約】【課題】  例えばポスターの印刷時など、印刷用紙をはるかに上回る大きさの印刷データを、複数枚に分割して印刷して後でその印刷物を結合させる場合に、それぞれの印刷物の対応容易にし、手間を省く。【解決手段】  印刷用紙を多いデータ量の地図を印刷したい時に、複数枚に分割して印刷して使用すると仮定すると、印刷データに地図全体に対する番号と、実際の配置における上下左右それぞれの隣に位置する用紙の地図全体に対する番号情報を、地図情報の部分に出来る限り接近し、且つ地図とは重ならない外側の部分に付加して印刷する。【選択図】  図１
2006040218.tif 000002
【特許請求の範囲】
【請求項１】
記録を行う用紙のサイズより大きい印刷データの記録を行う記録システムであって、
前記印刷データを複数の記録媒体に分割し、前記記録媒体の上下左右それぞれの端に、隣接する印刷データのインデックスを印刷することを特徴とする記録システム。
【請求項２】
地図あるいは配置図などを印刷する場合は、前記地図の全体に対する番号を、例えば右上の端に振るとともに、任意の順序の用紙を印刷するときには、左右上下それぞれの端に、左右上下それぞれの隣に来る紙の地図全体に対する番号をインデックスとして印刷することを特徴とする請求項１に記載の記録システム。
【請求項３】
印刷領域が印刷用紙全体とすることが可能なプリンタで対象となる印刷物、地図をフチなし印刷する場合は、インデックスも同様に上下左右それぞれの端にフチなし印刷し、また対象となる印刷物、地図についての印刷領域が印刷用紙全体よりも小さい場合も、地図とインデックスが重ならないように通常の印刷領域よりも外側にインデックスを印刷することを特徴とする請求項１に記載の記録システム。
【請求項４】
前記インデックスの色や形を変化させることを特徴とする請求項２、３に記載の記録システム。
【請求項５】
前記記録システムは、印刷用紙に対してが印刷可能領域なプリンタを備え、特にポスター、絵画などのように複数枚に分割して用紙全体にフチなし印刷を行い、後で分割して印刷したものを再結合させて使用する場合は、その画像全体に対する番号、および左右上下それぞれの隣に来る番号のインデックスの印刷を裏面に行うことを特徴とする請求項１に記載の記録システム。
【請求項６】
インデックスの印刷位置を指定可能であることを特徴とする請求項５に記載の記録システム。
【発明の詳細な説明】
【技術分野】
【０００１】
本発明は、大きな印刷物を複数枚に分けて分割して印刷（記録）する印刷システムに関するものである。
【背景技術】
【０００２】
印刷用紙の端にユーザーが印刷要求をした印刷データとは別の情報を印刷し、何らかの効果をあげようとしたものについてまず説明する。
【０００３】
プリンタはホストから受け付けた印刷データを共通の出力トレイに順次印刷出力するのが一般的である。そのためプリンタの出力トレイ上に多数の印刷物が蓄積された場合その多数の出力用紙の中から、自らが行った印刷要求に対する出力用紙を選別する作業が必要となってくる。この自分の印刷物を探し出すという煩わしい作業を軽減して、自らが行った印刷要求に対する出力用紙の選別を容易にする従来技術が知られている。
【０００４】
例えば、文書を特定する事項を印刷した見出しページを、その文書の印刷に伴って印刷出力するよう構成した印刷制御方法及び装置が開示されている（特許文献１）。
【０００５】
また、排紙するページの一部に、データの出力要求元のホストごとに異なる文字や図形を印字する印字制御装置を具備するよう構成した印刷装置が開示されている（特許文献２）。
【０００６】
そして、文書ページのパターンを指定により上から下への方向と、下から上への方向に変換したビットマップデータを作成することによりホスト毎に出力文書を180度回転して出力するように構成した文書処理装置が開示されている（特許文献３）。
【０００７】
以上従来の技術１〜３はそれぞれ見出しページ、ページの一部又はページの向きを確認することによって、ソート機能を持った出力トレイでなくとも印刷物の仕分け及び仕切り等を容易にするものである。
【特許文献１】特開平３−５８２１９号公報
【特許文献２】特開平５−１８１６２７号公報
【特許文献３】特開平５−３３８２７６号公報
【発明の開示】
【発明が解決しようとする課題】
【０００８】
本発明は、上記従来の技術とはまったく異なる目的で、本発明固有の目印を紙の端に印刷することで、ある課題を解決しようとするものである。ある課題とは、例えば表やグラフ、またポスターの印刷時などでよくあるあるが、印刷用紙をはるかに上回る大きさの印刷データを、複数枚に分割して印刷して後でその印刷物を結合させて使用するといった場合、対象物が大きくなればなるほど、印刷物一枚一枚の位置関係は把握し辛くものである。また、大きな地図や絵画、ポスターなどを複数枚に分割して印刷を行う場合に、ページ数が印刷してあったとしても、ある用紙に印刷されている地図の隣の地図は、何ページ目の印刷物に印刷されているか分からず、そのページを探すのに苦労することがある。
【課題を解決するための手段】
【０００９】
上記問題を解決するための本発明の記録システムは、印刷用紙をはるかに上回るデータ量の地図を印刷したい時に、複数枚に分割して印刷して使用すると仮定すると、印刷データに地図全体に対する番号と、実際の配置における上下左右それぞれの隣に位置する用紙の地図全体に対する番号情報を、地図情報の部分に出来る限り接近し、且つ地図とは重ならない外側の部分に付加して印刷を行う。
【００１０】
また、例えば印刷用紙をはるかに上回るデータ量のグラフ、ポスター、表などを印刷したい時に、複数枚に分割して印刷して後でそれら複数枚にも及ぶ印刷物を結合させて使用すると仮定すると、印刷データに地図全体に対する番号と、実際の配置における上下左右それぞれの隣に位置する用紙の地図全体に対する番号情報を、それぞれのページの裏面の印刷情報として作成し、それぞれのページを両面印刷することによって、印刷物全体に対する番号と、実際の配置における上下左右それぞれの隣に位置する用紙の印刷物全体に対する番号情報を付加する。
【発明の効果】
【００１１】
以上詳細に説明したように、通常の印字領域を使い地図情報を印刷すると同時に、その印刷用紙の通常印字領域外にプリンタによりフチなし印刷を行うことで世界中の何処であってもどんな縮尺であっても地図データさえあれば、印刷用紙全体が印字領域となっているプリンタ及び本発明を利用することで誰でも簡単に欲しい場所の地図を必要な縮尺で手に入れることが可能になり、簡易的な地図帳を誰でも簡単に作成することも可能になる。また、隣のページを示すインデックスの色を印刷した日付や、地図の場所などによって変更することで地図としての使い勝手が格段に向上する。
【００１２】
また、サイズの大きい絵画やポスター地図などを複数枚に分割し、全面フチなし印刷をする場合や、拡大印刷時に複数枚に分割される場合に、印刷枚数が多くなっても、印刷物が大きくなっても、また同じような模様が連続する印刷物であっても、上下左右の位置を把握する時間の短縮が可能になる。
【発明を実施するための最良の形態】
【００１３】
（実施例１）
以下、本発明の実施例の一つを、図面を参照して説明する。なお本実施例は、大きな地図を分割して印刷する場合に、地図全体に対する番号を右上の端に振るとともに、任意の順序の用紙を印刷するときには左右上下それぞれの端に、左右上下それぞれの隣に来る紙の地図全体に対する番号を通常の印刷領域の外側に地図インデックスとして、既存の地図データに付加して印刷するモード（以後「地図モード」と記述する）を有するプリンタドライバをインストール済みのホストPC（ホスト装置）とそのPCにUSBインターフェースにより接続された印刷用紙（被記録媒体）の全体に対して印刷可能であるプリンタ（記録装置）からなるシステムの例である。
【００１４】
図１はホストとなるPCの詳細図である。構成としては、まず内部から実際に命令を実行するCPU（中央演算処理装置）１１０と、RAM１１１と、OSからドライバなどさまざまな情報を格納しておく外部記憶装置１１２と、ROM１１３と、キーボードコントローラ１１４と、表示コントローラ１１５と、USBコントローラ１１６と、PCに外部接続されているキーボード１１７と、表示装置１１８とPCとUSBにより接続されているプリンタ１１９からなる。
【００１５】
図２は図１中のプリンタ１１９の詳細図である。構成としては印字データ（記録データ）をはじめとするさまざまなデータを送受信するデータ送受信部２１０と、全体を制御している制御部２１１と、印字データ及び、ユーザー設定データを記憶しておくデータ記憶部２１２と、印刷データを印刷するデータ印字部２１３と、印字された紙が排紙され、その紙が蓄積される排紙トレイ２１４からなる。
【００１６】
次に上記構成において、A4用紙を縦にして３×３の地図情報を印刷する場合の処理の流れを例にとり以下説明をする。
【００１７】
まず印刷したい地図の一例を図３に、その地図をA4用紙（縦）で３×３に分割したものを図４に示す。図３に示すような、印刷用紙を超える大きさの印刷情報を印刷しようとすると、分割して印刷することになるが、この時本発明に対応したドライバを用い、「地図モード」を選択してから印刷を要求するとする。その要求に対するドライバの処理の流れを、図５を用いて詳細に説明する。
【００１８】
印刷要求に対して、最初に処理５００において印刷設定のプリンタドライバの設定ダイアログで設定した詳細の情報を取得する。次に分岐５０１でそのプリンタドライバの設定情報から「地図モード」選択されているかどうかを確認する。もし設定されていない場合は、処理５０２において通常どおりスプールを行い、処理５０７において印刷データをプリンタに送信する。分岐５０１において「地図モード」が設定されていることを確認すると、処理５０３においてさらにプリンタドライバの設定情報を分析し、印刷用紙、全体で何枚、縦×横のそれぞれの枚数をなど、「地図モード」で印刷するための構成情報を取得する。
【００１９】
次に処理５０４で全体の枚数および、縦×横の枚数より地図全体に対するそれぞれの用紙の番号を決定し、その番号の印刷データを作成する。次に処理５０５で、全体の枚数および、縦×横の枚数より地図全体に対するそれぞれの印刷用紙の位置を求め、上下左右それぞれの隣にくる印刷用紙の番号を、上下左右それぞれの用紙の端にインデックスとして印刷するための印刷データを作る。
【００２０】
次に処理５０６で、処理５０４および処理５０５で作成したインデックスの印刷データと既存の地図の印刷データを組み合わせてプリンタに送るための印刷データを作成する。その際に作成される印刷データを図６に示す（図６の詳細な説明は後述する）。そして最後に処理５０７において、処理５０６で作成した印刷データを、USBインターフェースを介してプリンタに送信して印刷を行う。なお、インターフェースはUSBインターフェースに限定するものではなく、例えばパラレルインターフェースでも構わない。
【００２１】
次に、図６に示すインデックス情報を付加した任意の印刷物の一例について説明する。まず引き出し線６００が指すのが印刷用紙である。次に引き出し線６０１が示す赤い破線が通常の印刷領域の境界線を示す。つまり、本実施例において地図はこの赤い破線の内側に印刷される。引き出し線６１０が示すのが本実施例において印刷対象物とした地図の、全体に対する任意の一枚の地図番号を印刷する部分である。この引き出し線６１０が示す地図番号の領域は、印刷枚数が多くなった時に識別が容易にするために、日時や地図の地域、地図の用途、地図の縮尺により色を変更可能にしてフチなし印刷を行った。次に引き出し線６１１、６１２、６１３、６１４は、その印刷用紙を地図全体に照らし合わせたときに、上下左右それぞれの隣にくる印刷用紙の全体に対する任意の一枚の地図番号を印刷する部分である。
【００２２】
図7に、図３の印刷の対象となる地図の一例に本発明を適用し印刷を行った場合の全体を示す。この図からそれぞれのページの上下左右端に隣のページを示す値を目印として印刷することで、図7のように一枚一枚を並べて地図全体を作るときもページの上下左右端に印字した目印を見ることで容易に並べることができ、また一枚一枚で見るときに上下左右それぞれの隣のページをすぐに見つけることができるようになる。また地図情報があるだけで、どんな縮尺のどんな場所についての簡易的な地図帳に相当するものが作成できる。
【００２３】
（実施例２）
以下、本発名の実施例の一つを、図面を参照して説明する。基本構成は実施例１と同じであるので、相違点についてだけ本項で述べる。
【００２４】
印刷要求についてのドライバの処理フローを、図８を用いて詳細に説明する。まず、印刷要求対して、最初に処理８００において印刷設定のプリンタドライバの設定ダイアログで設定した詳細の情報を取得する。次に分岐８０１でそのプリンタドライバの設定情報から「特殊モード」選択されているかどうかを確認する。本項で言う「特殊モード」とは、大きなサイズの絵画やポスター、地図といった類の印刷物を複数枚に分割し、全面フチなし印刷を行う場合を指し、以後「特殊モード」とのみ記述する。もし「特殊モード」に設定されていない場合は、処理８０２において通常どおりスプールを行い、処理８０７において印刷データをプリンタに送信する。分岐８０１において「特殊モード」が設定されていることを確認すると、処理８０３においてさらにプリンタドライバの設定情報を分析し、印刷用紙、全体で何枚、縦×横のそれぞれの枚数をなど、「特殊モード」で印刷するための構成情報を取得する。
【００２５】
次に処理８０４で全体の枚数および、縦×横の枚数より地図全体に対するそれぞれの用紙の番号を決定し、その番号の印刷用紙の裏面用印刷データを作成する。次に処理８０５で、全体の枚数および、縦×横の枚数より地図全体に対するそれぞれの印刷用紙の位置を求め、上下左右それぞれの隣にくる印刷用紙の番号を、印刷用紙の裏面の上下左右端にインデックスとして印刷するための印刷データを作る。次に処理８０６で、処理８０４および処理８０５で作成した印刷用紙裏面のインデックスの印刷データと既存の地図とを組み合わせてプリンタに送るための両面の印刷データを作成する。そして最後に処理８０７において、処理８０６で作成した印刷データを、USBやパラレルインターフェースなどを介してプリンタに送信して印刷を行う。
【００２６】
サイズの大きい絵画やポスター地図などを複数枚に分割し、全面フチなし印刷をする場合や、拡大印刷時に複数枚に分割される場合に、印刷物が大きくなればなるほど、また印刷枚数が多くなればなるほど、それらを再結合させる際に配置の手間が非常にかかる。
【００２７】
そこで本発明を利用することで、印刷枚数が多くなっても、印刷物が大きくなっても、また同じような模様が連続する印刷物であっても、上下左右の位置を把握する時間を短縮することができる。
【図面の簡単な説明】
【００２８】
【図１】ホスト詳細図
【図２】プリンタ詳細図
【図３】印刷の対象となる地図の一例
【図４】図３の地図を３×３の９枚で分割して印刷する場合
【図５】実施例１における印刷要求時のドライバの処理
【図６】インデックス情報を付加した任意の印刷物の一例
【図７】実施例１にインデックス情報を付加した場合の全体
【図８】実施例２における印刷要求時のドライバの処理
【図１】
2006040218.tif 000003
【図２】
2006040218.tif 000004
【図３】
2006040218.tif 000005
【図４】
2006040218.tif 000006
【図５】
2006040218.tif 000007
【図６】
2006040218.tif 000008
【図７】
2006040218.tif 000009
【図８】
2006040218.tif 000010